(57)【要約】      （修正有）【課題】載置した物品収納ケースを保持することができるパレットを提供すること。【解決手段】積み重ねたケース同士を連結する、型成形等により物品収納ケース１１と一体的に形成された係合部を有する物品収納ケース１１を載置する矩形の載置面２と、フォークリフトのフォークを側方から差し込ませるフォーク差し込み部３とを有するパレットであって、上記矩形の載置面２には、載置した物品収納ケース１１の上記係合部と係合する係合突起４が設けられているパレットとした。【選択図】図５
2018203291.tif 000002
【特許請求の範囲】
【請求項１】
積み重ねた物品収納ケース同士を連結する係合部を有する物品収納ケースを載置する矩形の載置面と、フォークリフトのフォークを側方から差し込ませるフォーク差し込み部とを有するパレットであって、上記矩形の載置面には、載置した物品収納ケースの上記係合部と係合する係合突起が設けられていることを特徴とする、パレット。
【請求項２】
上記フォーク差し込み部が、フォークリフトのフォークを１本差し込む１つ穴のものであることを特徴とする、請求項１に記載のパレット。
【請求項３】
上記係合突起が、上記矩形の載置面の一方の対向する辺の中央付近にそれぞれ突設された内方或いは外方に向けて突出する舌片を有する突起部と、上記矩形の載置面の他方の対向する辺に沿ってそれぞれ形成された凸条部であることを特徴とする、請求項１又は２に記載のパレット。
【請求項４】
上記物品収納ケースの係合部が、対向する側壁の上端中央付近にそれぞれ形成された内方或いは外方に向けて突出する上方舌片と、底壁下面の脚部を兼ねた凸部に形成された上記上方舌片と積み重ねた際に係合してケース同士を連結する上記上方舌片とは逆方向に向けて突出する下方舌片であることを特徴とする、請求項１〜３のいずれかに記載のパレット。
【請求項５】
上記パレットの内方或いは外方に向けて突出する舌片を有する突起部が、上記物品収納ケースの上記下方舌片に係合し、上記パレットの凸条部が、上記物品収納ケースの上記凸部に係合するものであることを特徴とする、請求項４に記載のパレット。
【発明の詳細な説明】
【技術分野】
【０００１】
本発明は、パレットに関し、詳しくは、載置した物品収納ケースを保持することができるパレットに関するものである。
【背景技術】
【０００２】
工場等において、部品を収納して保管・運搬するために、プラスチック等によって型成形された、上方に開口を有する略立方体形状或いは略直方体形状の物品収納ケースが多用され、該物品収納ケースをパレットに積み上げ、フォークリフトにて搬送することが行われている。
そして、このような物品収納ケースは、積み重ねた際にズレを防止し、積み重ね状態の安定性を高めるために、底壁下面に脚部を兼ねた凸部を形成し、該凸部を積み重ねた際の下方物品収納ケースの上方開口に嵌入させるように構成されている（例えば、特許文献１，２）。
また、積み重ね状態の更なる安定性を図るために、積み重ねた物品収納ケース同士を連結する構成を有する物品収納ケースも開発されている（例えば、特許文献３）。
【０００３】
しかしながら、上記した特許文献１，２に開示されたような、単なる凸部の開口への嵌入のみでは、トラックによる輸送時等に受ける、下から突き上げるような衝撃が加わった場合には、容易に嵌入が外れてしまい、積み重ねがズレることから荷崩れが生じ易いものであった。また、積み重ねた物品収納ケースを持ち上げる際には、例え空の状態の物品収納ケースであっても、最下段の物品収納ケースを持って持ち上げなければならず、腰をかがめる作業が必要となるなど、作業者に負担を強いるものであった。
一方、特許文献３に開示されたような、積み重ねた物品収納ケース同士を連結する構成を有するものにあっては、上記した問題は生じないものの、該特許文献３に開示された連結構造は、物品収納ケースの上部開口縁部に鋼製の連結具を回動自在に取り付け、該連結具を回動させて相手方物品収納ケースの上縁及び／又は連結具に係合させるものであるため、連結具による結合動作が必須となり、その作業が煩わしいものであったと共に、連結手段が大掛かりなものであり、構造も複雑になってコスト高となっていた。
【０００４】
そこで、本願発明者等は、先に、安価に形成できると共に、連結作業性が良好であり、しかも積み重ね状態の安定性の高い物品収納ケースを提供することを目的とし、積み重ねたケース同士を縦方向に連結する係合部を有する物品収納ケースを創案し、特許出願を行った。この物品収納ケースは、上方に開口を有する略立方体形状或いは略直方体形状であって、底壁下面に脚部を兼ねた凸部を形成し、該凸部を積み重ねた際の下方物品収納ケースの上記上方開口に嵌入させる構成とすると共に、対向する側壁の上端中央付近にそれぞれ内方或いは外方に向けて突出する上方舌片を形成し、該上方舌片と積み重ねた際に係合して物品収納ケース同士を連結する上記上方舌片とは逆方向に向けて突出する下方舌片を底壁下面に形成したものである。
【０００５】
上記した物品収納ケースによれば、物品収納ケースを互いに連結するための特別な別部品を付加する必要がなく、上方舌片と下方舌片とを物品収納ケースに型成形等により一体的に形成すればよいので、製造コストの低減が図れると共に、リサイクルが容易なものであった。また、上方舌片と下方舌片との係合によって積み重ねた物品収納ケース同士を連結するものであるため、その連結作業性は良好であり、また信頼性の高い連結が可能となるものであった。
【先行技術文献】
【特許文献】
【０００６】
【特許文献１】特開２００４−１２３２２１号公報
【特許文献１】特開２００４−３２９０３５号公報
【特許文献３】特開平９−１６９３３９号公報
【発明の概要】
【発明が解決しようとする課題】
【０００７】
しかしながら、上記した係合部を有する物品収納ケースをパレットに載置し、フォークリフトにて搬送するにあたっては、積み重ねた物品収納ケース同士は係合部である上方舌片と下方舌片との係合によって上下に連結されているものの、物品収納ケースとパレットとは連結されていないため、搬送途中等において大きく揺れた場合等には、積み重ねた物品収納ケースが倒れてしまい、搬送に支障が生じるものであった。
【０００８】
本発明は、上述した背景技術が有する課題に鑑み成されたものであって、その目的は、載置した物品収納ケースを容易に保持することができるパレットを提供することにある。
【課題を解決するための手段】
【０００９】
上記した目的を達成するため、本発明は、次の〔１〕〜〔５〕に記載したパレットとした。
〔１〕積み重ねた物品収納ケース同士を連結する係合部を有する物品収納ケースを載置する矩形の載置面と、フォークリフトのフォークを側方から差し込ませるフォーク差し込み部とを有するパレットであって、上記矩形の載置面には、載置した物品収納ケースの上記係合部と係合する係合突起が設けられていることを特徴とする、パレット。
〔２〕上記フォーク差し込み部が、フォークリフトのフォークを１本差し込む１つ穴のものであることを特徴とする、上記〔１〕に記載のパレット。
〔３〕上記係合突起が、上記矩形の載置面の一方の対向する辺の中央付近にそれぞれ突設された内方或いは外方に向けて突出する舌片を有する一対の突起部と、上記矩形の載置面の他方の対向する辺に沿ってそれぞれ形成された一対の凸条部であることを特徴とする、上記〔１〕又は〔２〕に記載のパレット。
〔４〕上記物品収納ケースの係合部が、対向する側壁の上端中央付近にそれぞれ形成された内方或いは外方に向けて突出する上方舌片と、底壁下面の脚部を兼ねた凸部に形成された上記上方舌片と積み重ねた際に係合してケース同士を連結する上記上方舌片とは逆方向に向けて突出する下方舌片であることを特徴とする、上記〔１〕〜〔３〕のいずれかに記載のパレット。
〔５〕上記パレットの内方或いは外方に向けて突出する舌片を有する突起部が、上記物品収納ケースの上記下方舌片に係合し、上記パレットの凸条部が、上記物品収納ケースの上記凸部に係合するものであることを特徴とする、上記〔４〕に記載のパレット。
【発明の効果】
【００１０】
上記した本発明に係るパレットによれば、物品収納ケースと係合する係合突起が設けられているので、載置した物品収納ケースを容易に保持することができ、搬送途中等において大きく揺れた場合であっても、載置した物品収納ケースが倒れ難いものとなり、搬送が容易なものとなる。
【図面の簡単な説明】
【００１１】
【図１】本発明に係るパレットの一実施形態を示した斜視図である。
【図２】図１に示したパレットの平面図である。
【図３】図１に示したパレットの正面図である。
【図４】物品収納ケースの一例を示した斜視図である。
【図５】図１に示したパレットに図４に示した物品収納ケースを載置する途中の状態を示した正面図である。
【図６】図１に示したパレットに図４に示した物品収納ケースを載置した状態を示した正面図である。
【図７】図１に示したパレットに図４に示した物品収納ケースを４段積み重ねて載置した状態を示した一部切り欠き側面図、および要部を拡大して示した断面図である。
【図８】物品収納ケースの他の例を示した斜視図である。
【図９】図１に示した２個のパレットにそれぞれ図８に示した物品収納ケースを７段積み重ねて載置し、両積載品をピッタリ添わせた状態を示した正面図である。
【図１０】図８に示した物品収納ケースをピッタリ添わせた場合の係合部の係合状態を示した断面図である。
【図１１】本発明に係るパレットの他の実施形態を示した斜視図である。
【発明を実施するための形態】
【００１２】
以下、上記した本発明に係るパレットの実施形態を、図面を参照しながら詳細に説明する。
【００１３】
本発明に係るパレット１は、例えばプラスチック、軽量金属等によってその全体が一体成形されたもので、図１〜図３に示すように、物品収納ケースを載置する矩形の載置面２と、フォークリフトのフォークを側方から差し込ませるフォーク差し込み部３とを有するものである。大きさは、図示した実施形態に係るものにあっては、長さ５０ｃｍ、幅３３ｃｍ、高さ１０ｃｍ程度に形成されている。
【００１４】
パレット１の上記矩形の載置面２には、載置した物品収納ケースの後記する係合部と係合する係合突起４が設けられている。該係合突起４は、矩形の載置面２の対向する長辺側の辺２ａ，２ａの中央付近にそれぞれ突設された内方に向けて突出する舌片５を有する一対の突起部６，６と、上記矩形の載置面２の対向する短辺側の辺２ｂ，２ｂに沿ってそれぞれ形成された一対の凸条部７，７とで構成されている。
【００１５】
また、パレット１の側方に形成された上記フォーク差し込み部３は、フォークリフトのフォークを１本差し込む１つ穴のものに形成されている。
【００１６】
上記パレット１に載置する物品収納ケース１１は、積み重ねた物品収納ケース同士を縦方向に連結する係合部１２を有するものであって、図４に示すように、略直方体形状で、上方に開口１３を有しており、底壁下面に脚部を兼ねた凸部１４が形成され、該凸部１４が積み重ねた際の下方物品収納ケースの上記上方開口１３に嵌入し、積み重ね状態の安定性が図られている。
【００１７】
物品収納ケース１１の上記係合部１２は、対向する長辺側の側壁１５，１５の上端中央付近にそれぞれ形成された内方に向けて突出する一対の上方舌片１６，１６と、底壁下面に脚部を兼ねて形成された上記凸部１４に形成された上記上方舌片１６，１６と積み重ねた際に係合してケース同士を連結する外方に向けて突出する一対の下方舌片１７，１７とから成る。上記上方舌片１６の周辺には、下方舌片１７を挿入し得る凹部１８がそれぞれ形成されている。また、短辺側の対向する側壁１９，１９の外面側の上方中央付近には、取っ手２０，２０が形成されている。
【００１８】
本発明に係るパレット１に形成された上記内方に向けて突出する舌片５を有する一対の突起部６，６は、上記物品収納ケース１１の一対の下方舌片１７，１７にそれぞれ係合するように設計され、パレット１に形成された上記一対の凸条部７，７は、その間に上記物品収納ケース１１の凸部１４が嵌入するように設計されている。
【００１９】
上記のように構成された本発明に係るパレット１に物品収納ケース１１を載置するにあたっては、図５に示したように、物品収納ケース１１に形成された一対の下方舌片１７，１７が、パレット１の載置面２に形成された一対の突起部６，６のそれぞれの舌片５，５の下方に入り込むように斜めから挿入することにより、図６に示したように、物品収納ケースの底壁下面に形成された凸部１４が、パレット１の載置面２に形成された一対の凸条部７，７間に嵌入する状態で嵌まり込むと共に、物品収納ケース１１の一対の下方舌片１７，１７が、パレット１の一対の突起部６，６のそれぞれの舌片５，５の下方に位置するように載置され、載置した物品収納ケース１１がパレット１から脱落し難いように保持される。
【００２０】
物品収納ケース１１をその上方に積み重ねるにあたっては、既に載置した下方のケース１１の一対の上方舌片１６，１６の下方に、上方のケース１１の一対の下方舌片１７，１７がそれぞれ入り込むように上方舌片１６の周辺に形成された凹部１８を利用して斜めから挿入することにより、上方のケースの底壁下面に形成された凸部１４が、下方のケースの開口１３に嵌入する状態で嵌まり込むと共に、下方のケースの上方舌片１６，１６の下方に上方のケースの下方舌片１７，１７が位置するように積み重ねられ、積み重ねたケース同士が外れ難いように連結される。
【００２１】
上記のようにしてパレット１上に積み重ねられた物品収納ケース１１は、図７に示したように、パレット１と載置した最下段の物品収納ケース１１とは、パレット１に形成された突起部６と凸条部７とから成る係合突起４と、物品収納ケース１１に形成された係合部１２である下方舌片１７とが係合し、載置した物品収納ケース１１がパレット１から脱落し難いように保持されていると共に、積み重ねた物品収納ケース１１，１１同士は、それぞれのケース１１に設けられた係合部１２である上方舌片１６と下方舌片１７との係合により、容易に積み重ねたケース同士が外れないように連結されている。そのため、搬送途中等において大きく揺れた場合であっても、載置した物品収納ケースが倒れることはなく荷崩れが効果的に防止され、搬送が容易なものとなる。
【００２２】
図８は、パレット１上に載置する物品収納ケースとして、積み重ねた物品収納ケース同士を縦方向に連結する上記係合部１２を有する他、隣り合う物品収納ケース同士を横方向に連結する係合部３０をも有する物品収納ケース３１を示した図である。なお、この図において、図４に示した物品収納ケースと同一部材及び部分については、同一符号を付してその説明は省略する。
【００２３】
図８に示した物品収納ケース３１においては、隣り合う物品収納ケース同士を横方向に連結する上記係合部３０は、それぞれの側壁１５，１９の外面側に形成された係合凸部３２と係合凹部３３とにより成る。係合凸部３２は、先端が上下方向に膨出した略Ｔ字形状の凸部に形成され、該略Ｔ字形状の係合凸部３２が、それぞれの側壁１５，１９の外面側の左側に水平方向に延在した凸条として形成されている。一方、係合凹部３３は、開口が内側より狭い略Ｃ字形状の凹部に形成され、該略Ｃ字形状の係合凹部３３が、それぞれ側壁１５，１９の外面側の右側であって、かつ上記係合凸部３２と同一水平面上に形成されている。
【００２４】
上記図８に示した物品収納ケース３１を本発明に係るパレット１に載置し、その上方に物品収納ケース３１を積み重ねた場合、図４に示した物品収納ケース１１の場合と同様に、パレット１と載置した最下段の物品収納ケース３１とは、パレット１に形成された係合突起４と、物品収納ケース３１に形成された縦方向の係合部１２とが係合し、載置した物品収納ケース３１がパレット１から脱落し難いように保持されると共に、積み重ねた物品収納ケース３１，３１同士は、それぞれのケース３１に設けられた縦方向の係合部１２の係合により、容易に積み重ねたケース同士が外れないように連結されるため、載置した物品収納ケースが倒れ難く、荷崩れが生じ難いものとなる。
【００２５】
また、パレット１上に物品収納ケース３１を積み重ね、その積載品を図９に示したようにピッタリ添わせると、隣り合う物品収納ケース３１，３１同士は、横方向の係合部３０である係合凸部３２と係合凹部３３とが、図１０に示したように係合し、積み重ねた物品収納ケース３１のそれぞれの横方向の連結が図れることとなる。この状態で、２個並ぶパレット１のそれぞれに形成されたフォーク差し込み部３にフォークリフトの爪Ｆを差し込み、持ち上げてそのまま搬送することができるものとなる。
【００２６】
以上、本発明に係るパレットの実施形態を説明したが、本発明は、何ら既述の実施形態に限定されるものではなく、特許請求の範囲に記載した本発明の技術的思想の範囲内において、種々の変形及び変更が可能であることは当然である。
例えば、上記実施形態においては、プラスチック等により一体成形されたパレット１につき説明したが、その材質は何ら限定されるものではなく、また全体が一体的に成形されている必要もない。また、載置面に形成された係合突起４の構成、形状等は一例を示したに過ぎず、例えば、図１１に示したように、載置する物品収納ケースの凸部１４を挿入し易くガイドすると共に、載置後の位置ズレを防止する作用を果たす凸条部９を、長辺側の辺２ａ，２ａに沿って形成したものとすることは好ましく、また該凸条部９を、図示は省略したが中央付近に形成された内方に向けて突出する舌片５を有する一対の突起部６，６に連接したものに形成した場合は、突起部６の補強をも図れるために好ましい。
【産業上の利用可能性】
【００２７】
以上、説明した本発明に係るパレットは、載置した物品収納ケースを容易に保持することができ、荷崩れが生じ難いものとなるので、工場等において部品を収納した物品収納ケースを載置して搬送するパレットとして、広く利用できる。
【符号の説明】
【００２８】
１    パレット
２    載置面
２ａ    載置面の一方の対向する辺
２ｂ    載置面の一方の対向する辺
３    フォーク差し込み部
４    係合突起
５    舌片
６    突起部
７    凸条部
９    凸条部
１１    物品収納ケース
１２    係合部
１３    開口
１４    凸部
１５    長辺側の対向する側壁
１６    上方舌片
１７    下方舌片
１８    凹部
１９    短辺側の対向する側壁
２０    取っ手
３０    係合部
３１    物品収納ケース
３２    係合凸部
３３    係合凹部
Ｆ    フォークリフトの爪
【図１】
2018203291.tif 000003
【図２】
2018203291.tif 000004
【図３】
2018203291.tif 000005
【図４】
2018203291.tif 000006
【図５】
2018203291.tif 000007
【図６】
2018203291.tif 000008
【図７】
2018203291.tif 000009
【図８】
2018203291.tif 000010
【図９】
2018203291.tif 000011
【図１０】
2018203291.tif 000012
【図１１】
2018203291.tif 000013